(57)【特許請求の範囲】
【請求項１】
撮像手段と、
前記撮像手段から出力された動画像信号を記録媒体に記録する記録手段と、
前記動画像信号の記録開始と記録終了を指示する指示手段と、
前記指示手段による記録開始の指示に応じて前記記録媒体に対する動画像信号の記録を開始し前記指示手段による記録終了の指示に応じて前記記録媒体に対する動画像信号の記録を終了するように前記記録手段を制御すると共に、前記記録開始の指示より第１の所定期間前から前記記録終了の指示より第２の所定期間後までの間に前記撮像手段から出力された動画像信号を一つのテイクとして記録するよう前記記録手段を制御する制御手段と、
前記記録手段により一つのテイクの動画像信号が記録されたことに応じて、前記記録媒体に記録された前記一つのテイクの動画像信号において前記記録開始が指示された位置から記録終了が指示された位置までを再生するよう前記記録媒体に記録された動画像信号の再生手順を制御するためのプレイリストデータを生成する生成手段とを備えることを特徴とする記録装置。
【請求項２】
前記制御手段は、前記記録開始の指示より第１の所定期間前から前記記録開始の指示までの間に前記撮像手段から出力された先行動画像信号と、前記記録終了の指示から前記記録終了の指示より第２の所定期間後までの間に前記撮像手段から出力された後続動画像信号と、前記記録開始指示から記録終了指示までの間に前記撮像手段から出力された本動画像信号とを、前記一つのテイクとして記録するよう前記記録手段を制御し、
前記生成手段は、前記記録手段により一つのテイクの動画像信号が記録されたことに応じて、前記一つのテイクのうち前記本動画像信号の先頭から最後までを再生するよう前記記録媒体に記録された動画像信号の再生手順を制御するためのプレイリストデータを生成することを特徴とする請求項１記載の記録装置。
【請求項３】
前記記録媒体に記録された複数の前記テイクの動画像信号を再生する再生手段を備え、
前記再生手段は、前記記録媒体から連続して二つの前記テイクを再生する場合に、前記二つのテイクのうち先に再生されるテイクの後続動画像信号と後に再生されるテイクの先行動画像信号と用いてエフェクト画像信号を生成することを特徴とする請求項２記載の記録装置。
【請求項４】
前記記録終了指示の後、前記後続動画像信号の記録状態である旨の情報を表示する表示手段を備えたことを特徴とする請求項２または３に記載の記録装置。
【請求項５】
前記第１の所定期間分の動画像信号を記憶可能であって前記撮像手段から出力された動画像信号を記憶するメモリを備え、
前記記録手段は前記記録開始の指示の時点で前記メモリに記憶されている前記第１の所定期間分の動画像信号を前記記録開始の指示に応じて読み出し、前記記録媒体に記録することを特徴とする請求項１乃至４の何れか１項に記載の記録装置。
【請求項６】
入力された動画像信号を記録媒体に記録する記録手段と、
前記動画像信号の記録開始と記録終了を指示する指示手段と、
前記指示手段による記録開始の指示に応じて前記記録媒体に対する動画像信号の記録を開始し前記指示手段による記録終了の指示に応じて前記記録媒体に対する動画像信号の記録を終了するように前記記録手段を制御すると共に、前記記録開始の指示から記録終了の指示までの間に入力された動画像信号を含む動画像のテイクを記録するよう前記記録手段を制御する制御手段と、
一つの前記テイクが前記記録媒体に記録されると、前記一つのテイクにおいて前記記録開始が指示された位置から記録終了が指示された位置までの動画像信号を再生し、前記一つのテイクを含む複数のテイクの動画像信号を前記記録媒体に記録された順番で連続して再生するよう前記記録媒体に記録された複数のテイクの動画像信号の再生手順を制御するためのプレイリストデータを生成する生成手段とを備えることを特徴とする記録装置。
【請求項７】
撮像手段から出力された動画像信号を記録媒体に記録する記録装置の制御方法であって、
指示手段による記録開始の指示に応じて前記記録媒体に対する動画像信号の記録を開始し前記指示手段による記録終了の指示に応じて前記記録媒体に対する動画像信号の記録を終了すると共に、前記記録開始の指示より第１の所定期間前から前記記録終了の指示より第２の所定期間後までの間に前記撮像手段から出力された動画像信号を一つのテイクとして記録するように前記記録装置を制御する制御ステップと、
一つのテイクの動画像信号が記録されたことに応じて、前記記録媒体に記録された前記一つのテイクの動画像信号において前記記録開始が指示された位置から記録終了が指示された位置までを再生するよう前記記録媒体に記録された動画像信号の再生手順を制御するためのプレイリストデータを生成する生成ステップとを備えることを特徴とする記録装置の制御方法。
【請求項８】
入力された動画像信号を記録媒体に記録する記録装置の制御方法であって、
指示手段による記録開始の指示に応じて前記記録媒体に対する動画像信号の記録を開始し前記指示手段による記録終了の指示に応じて前記記録媒体に対する動画像信号の記録を終了すると共に、前記記録開始の指示から記録終了の指示までの間に入力された動画像信号を含む動画像のテイクを記録するよう前記記録装置を制御する制御ステップと、
一つの前記テイクが前記記録媒体に記録されると、前記一つのテイクにおいて前記記録開始が指示された位置から記録終了が指示された位置までの動画像信号を再生し、前記一つのテイクを含む複数のテイクの動画像信号を前記記録媒体に記録された順番で連続して再生するよう前記記録媒体に記録された複数のテイクの動画像信号の再生手順を制御するためのプレイリストデータを生成する生成ステップとを備えることを特徴とする記録装置の制御方法。
【発明の詳細な説明】
【０００１】
【発明の属する技術分野】
本発明は、記録装置及び方法に関し、特に、動画像を撮影して記録媒体に記録する記録装置及び方法に関する。
【０００２】
【従来の技術】
動画像を記録し、その記録された画像を再生する画像記録再生装置として、従来、画像信号をデジタル信号に変換した後、磁気テープに記録するデジタルＶＴＲ（Video Tape Recorder）が存在する。このデジタルＶＴＲは、記録する媒体が磁気テープであることから、映像のテイク（撮影記録操作の開始から終了までに得られた時間的に連続した映像情報）を撮影順に次々に記録するシーケンシャル記録方式が一般的である。これを、図８を参照して説明する。
【０００３】
図８は、従来の磁気テープにおけるシーケンシャル記録方式を示す図である。
【０００４】
図８（ａ）に示すように、デジタルＶＴＲの録画開始の操作とともに“テイク１”の記録が開始される。録画終了の操作で“テイク１”の記録が終了する。引き続いて、録画開始の操作を行なうと、“テイク１”に続いて“テイク２”の記録が開始される。その後、録画終了の操作で“テイク２”の記録が終了する。以下、“テイク３”も同様の操作にて、“テイク２”に続いて記録される。
【０００５】
シーケンシャル記録方式で録画された映像を再生する場合、再生されるテイクの順番は記録と同じ順番となり、希望のシーンを探しだしたり、順番を入れ替えたりするのが難しい欠点がある。
【０００６】
一方、ランダムアクセスが可能なメディアである固体ディスクや光磁気ディスク、またフラッシュメモリやＳＲＡＭ等の固体メモリに記録するランダムアクセスメモリビデオが提案されている。ランダムアクセスメモリに記録するビデオでは、テイクは、メモリの空き領域にランダムに記録される。これを、図９を参照して説明する。
【０００７】
図９は、従来のランダムアクセスメディアに記録された“テイク１”及び“テイク２”を示す図である。
【０００８】
図９（ａ），（ｂ）に示すように、録画開始の操作でテイクの記録が開始され、録画終了の操作でテイクの記録が終了されるが、“テイク１”と“テイク２”とはメディア上にそれらの記録位置が互いに独立して記録される。この方式では、メディアの性質上、読み出す順番は、記録順番に依存せず、どの記録場所からでも任意に読み出すことが可能である。そのため、好きな動画のシーンをダイレクトに探し出して再生したり、複数のシーンの順番を互いに入れ替えたりすることが容易に行える。
【０００９】
ところで、これらのデジタルビデオ記録システムでは、情報量の削減のため入力デジタル信号に圧縮処理を施しており、少ない記憶容量で擬似的に多くの画像情報や静止画情報を記録することを可能にしている。このような画像記録再生装置の圧縮方式は種々の方式がある。
【００１０】
例えば直交変換方式では、画像を、ｎ画素×ｎ画素から成るブロックにより分割し、各ブロックごとにディスクリートコサイン変換（ＤＣＴ）等の直交変換を施し、得られた各係数を所定のビット数に丸めることで、量子化する。一般に画像情報は低周波領域に偏っているため、高周波成分のビット数を減らすことによりデータ量を削減することができる。また、ハフマン符号化等の可変長符号化方式では、出現確率のより高いビットシーケンスに対して、長さがより短い符号を割り当てることにより、効率のよいデータ圧縮を行うことができる。
【００１１】
さらに、動画像を圧縮する場合には、動画像では各画像フレーム間での相関が強いという性質を利用して、フレーム間の差分を抽出することにより、大幅にデータ量を削減している。
【００１２】
上述したさまざまな圧縮技術を組み合わせて動画像の圧縮を行ってデータ量を削減した上で、シーケンシャルアクセスメディアであるテープや、ランダムアクセスメディアである固体磁気ディスクメモリや光ディスクメモリ等に記録することが、動画像記録システムにおいて一般的に行われている。
【００１３】
ところで、これらの動画記録システムにおいて、テイクどうしのつなぎ部分に、クロスフェード等のシーンチェンジエフェクトを掛けることが、従来行われている。
【００１４】
シーケンシャルアクセスメディアを利用したデジタルＶＴＲ等では、クロスフェード等のシーンチェンジエフェクトを記録時に掛ける必要があり、この手順を、図８（ｂ）を参照して説明する。すなわち、録画開始操作で“テイク１”を記録し始め、録画終了操作で“テイク１”の記録を終えたのち、次の“テイク２”を記録開始する際に、“テイク１”の最後のシーンを静止画として取り出す。この静止画に対して、“テイク２”の冒頭部分が少しづつ現れ、これと同時にテイク１の最後のシーンの静止画が少しづつ消えてゆくようなクロスフェードを行い、最終的には“テイク２”の動画のみの画像とする。録画終了で、“テイク２”の記録を終了する。
【００１５】
この場合、シーケンシャルアクセスメディアの性質上、“テイク１”と“テイク２”の２つの動画を同時に読み出したり、“テイク１”を読み出しながら、“テイク２”を記録することはできないので、１本のテープに各テイクを連続記録する限りは、動画から動画へのクロスフェードは不可能であり、静止画から動画へのクロスフェードしか実現できないという欠点がある。また、記録時にクロスフェードも同時に掛ける必要があるため、撮影中にクロスフェードを掛けるための操作が必要になり、操作が煩雑になり、ユーザが撮影に集中できないという欠点もある。
【００１６】
一方、ランダムアクセスメディアに記録されたテイクに対して、クロスフェードなどのシーンチェンジエフェクトを掛けた場合は、シーケンシャルアクセスメディアを利用した場合における上記の欠点が解消される。以下に、ランダムアクセスメディアに記録された“テイク１”及び“テイク２”の繋ぎ部分へクロスフェードなどのシーンチェンジエフェクトを掛ける場合について説明する。
【００１７】
ランダムアクセスメディアの場合は、記録時にクロスフェードなどのシーンチェンジエフェクトをテイク間に掛けることもできるが、記録時ではなく再生時にクロスフェードなどのシーンチェンジエフェクトをテイク間に掛けることが可能である。これを、図９（ｃ）を参照して説明する。
【００１８】
図９（ｃ）に示すように、撮影済みの“テイク１”の再生を行い、クロスフェードを掛けたいテイク１の最後の部分が少しずつ消えていくのと同時に、“テイク２”の冒頭部分が少しづつ現れるようなクロスフェードを行い、最終的には“テイク２”の動画のみにする。ランダムアクセスメディアであるので、テイク１とテイク２は同時に再生が可能であり、クロスフェードの部分では、この二つの映像のミックス比率を少しずつ変えることで、動画から動画へのクロスフェードを実現することが可能である。
【００１９】
【発明が解決しようとする課題】
ところで 一般に、テイクの映像は、録画開始操作でユーザが意図して記録を始め、録画終了操作でユーザが意図して記録を終了することによって得られた映像であるから、テイク全体を通して重要な映像が含まれている可能性が高い。
【００２０】
それにも拘わらず、上記のランダムアクセスメディアに記録された“テイク１”から“テイク２”への移行時にクロスフェードのシーンチェンジエフェクトを掛けた場合、例えば、“テイク１”の終わりの部分や、“テイク２”の先頭部分に重要な映像が含まれていた場合、それらの重要な映像がフェードアウトやフェードインのために不鮮明になってしまい、明確には見えないということが生じる。
【００２１】
本発明はこのような問題点に鑑みてなされたものであって、クロスフェード等のシーンチェンジエフェクトを掛けた場合でも、録画開始操作時点から録画終了操作時点までの期間に記録された映像が不鮮明になることなく再生されるようにした記録装置及び方法を提供することを目的とする。
【００２２】
【課題を解決するための手段】
上記目的を達成するために、本発明の記録装置は、撮像手段と、前記撮像手段から出力された動画像信号を記録媒体に記録する記録手段と、前記動画像信号の記録開始と記録終了を指示する指示手段と、前記指示手段による記録開始の指示に応じて前記記録媒体に対する動画像信号の記録を開始し前記指示手段による記録終了の指示に応じて前記記録媒体に対する動画像信号の記録を終了するように前記記録手段を制御すると共に、前記記録開始の指示より第１の所定期間前から前記記録終了の指示より第２の所定期間後までの間に前記撮像手段から出力された動画像信号を一つのテイクとして記録するよう前記記録手段を制御する制御手段と、前記記録手段により一つのテイクの動画像信号が記録されたことに応じて、前記記録媒体に記録された前記一つのテイクの動画像信号において前記記録開始が指示された位置から記録終了が指示された位置までを再生するよう前記記録媒体に記録された動画像信号の再生手順を制御するためのプレイリストデータを生成する生成手段とを備えることを特徴とする。
上記目的を達成するために、本発明の記録装置は、入力された動画像信号を記録媒体に記録する記録手段と、前記動画像信号の記録開始と記録終了を指示する指示手段と、前記指示手段による記録開始の指示に応じて前記記録媒体に対する動画像信号の記録を開始し前記指示手段による記録終了の指示に応じて前記記録媒体に対する動画像信号の記録を終了するように前記記録手段を制御すると共に、前記記録開始の指示から記録終了の指示までの間に入力された動画像信号を含む動画像のテイクを記録するよう前記記録手段を制御する制御手段と、一つの前記テイクが前記記録媒体に記録されると、前記一つのテイクにおいて前記記録開始が指示された位置から記録終了が指示された位置までの動画像信号を再生し、前記一つのテイクを含む複数のテイクの動画像信号を前記記録媒体に記録された順番で連続して再生するよう前記記録媒体に記録された複数のテイクの動画像信号の再生手順を制御するためのプレイリストデータを生成する生成手段とを備えることを特徴とする。
上記目的を達成するために、本発明の記録装置の制御方法は、撮像手段から出力された動画像信号を記録媒体に記録する記録装置の制御方法であって、指示手段による記録開始の指示に応じて前記記録媒体に対する動画像信号の記録を開始し前記指示手段による記録終了の指示に応じて前記記録媒体に対する動画像信号の記録を終了すると共に、前記記録開始の指示より第１の所定期間前から前記記録終了の指示より第２の所定期間後までの間に前記撮像手段から出力された動画像信号を一つのテイクとして記録するように前記記録装置を制御する制御ステップと、一つのテイクの動画像信号が記録されたことに応じて、前記記録媒体に記録された前記一つのテイクの動画像信号において前記記録開始が指示された位置から記録終了が指示された位置までを再生するよう前記記録媒体に記録された動画像信号の再生手順を制御するためのプレイリストデータを生成する生成ステップとを備えることを特徴とする。
上記目的を達成するために、本発明の記録装置の制御方法は、入力された動画像信号を記録媒体に記録する記録装置の制御方法であって、指示手段による記録開始の指示に応じて前記記録媒体に対する動画像信号の記録を開始し前記指示手段による記録終了の指示に応じて前記記録媒体に対する動画像信号の記録を終了すると共に、前記記録開始の指示から記録終了の指示までの間に入力された動画像信号を含む動画像のテイクを記録するよう前記記録装置を制御する制御ステップと、一つの前記テイクが前記記録媒体に記録されると、前記一つのテイクにおいて前記記録開始が指示された位置から記録終了が指示された位置までの動画像信号を再生し、前記一つのテイクを含む複数のテイクの動画像信号を前記記録媒体に記録された順番で連続して再生するよう前記記録媒体に記録された複数のテイクの動画像信号の再生手順を制御するためのプレイリストデータを生成する生成ステップとを備えることを特徴とする。
【００２５】
【発明の実施の形態】
以下、本発明の実施の形態を、図面を参照して説明する。
【００２６】
図１は、本発明に係るデジタル動画像カメラの一実施の形態の構成を示すブロック図である。なお、動画撮影において、撮影ボタンを押して撮影開始してから撮影ボタンを再び押して撮影終了したときまでに得られる一連の動画のシーンを、１テイクと呼ぶ。
【００２７】
プログラムフラッシュメモリ１１３内に、圧縮されたプログラムが格納され、カメラの起動時に、このプログラムがプログラムメモリ１１２に解凍／展開され、ＣＰＵ１１１が、プログラムメモリ１１２内のプログラムに従って動作する。これにより、以後説明する各種の制御動作が行われる。
【００２８】
まずデジタル動画像カメラが記録モードに設定されている場合の制御動作を説明する。
【００２９】
被写体からの光がレンズ１０１を通して撮像素子１０２に結像される。撮像素子１０２は、結像された被写体像の光電変換を行う。この撮像素子１０２で生成された光電変換画像は、カメラ信号処理部１０３によって所定の周期で読み出され、カメラ信号処理部１０３で標準的な画像信号になるように信号処理される。こうして得られたデジタル画像（原動画像）は画像メモリ１０４に一時的に蓄積されると同時に、ディスプレイ１０６へ送られて、現在撮影中の動画像がディスプレイ１０６に表示される。
【００３０】
ところで、ユーザによる撮影開始操作とは無関係に、画像メモリ１０４に一時的に蓄積された原動画像に対して、動画圧縮解凍回路１０８にて圧縮符号化がなされて圧縮本動画像が生成され、画像メモリ１０４をバッファとして蓄積が行われる。すなわち、画像メモリ１０４に、常に最新の一定時間分の圧縮本動画像（先行画像信号）を蓄積するようにする。
【００３１】
そして、操作スイッチ１０５に含まれる撮影ボタン（図示せず）をユーザが押すこと（撮影開始操作）で撮影が開始されると、画像メモリ１０４に蓄積された撮影開始時点から前に一定時間分の動画像がまず、インターフェース１１０を介してハードディスク１０９に記録され、その後順次、撮影開始時点以降の動画像が圧縮処理された上でハードディスク１０９に記録される。
【００３２】
次に操作スイッチ１０５に含まれる撮影ボタンが再度押される（撮影終了操作）と、すぐには撮影記録を終了せずに、一定時間の間、撮影を行い、圧縮本動画像（後続画像信号）を記録してから撮影記録を終了する。
【００３３】
なおこの際、操作スイッチ１０５に含まれる撮影ボタンが押されて撮影が開始した時刻と、再び撮影ボタンが押されて撮影が終了した時刻とを記録する。
【００３４】
図２は、１テイク分の動画像を撮影する際にＣＰＵ１１１で行われる処理の手順を示すフローチャートである。
【００３５】
記録モードになると該処理の実行が開始される（Ｓ２０１）。
【００３６】
まずステップＳ２０２で、現在より過去に向かって所定時間（Ｔ＿ｐｒｅ）分の圧縮本動画像（先行画像信号）を常に画像メモリ１０４に保持する。
【００３７】
次に、ステップＳ２０３で、操作スイッチ１０５に含まれる撮影ボタンが押されたか否か、すなわち録画開始操作がなされたか否かの判別を行い、録画開始操作が行われていないならば、ステップＳ２０２を再び実行する。ステップＳ２０３で録画開始操作が行われていると判別されたならば、ステップＳ２０４へ進む。
【００３８】
ステップＳ２０４で、画像メモリ１０４に保持された所定時間（Ｔ＿ｐｒｅ）分の圧縮本動画像（先行画像信号）をまずハードディスク１０９へ記録し、ステップＳ２０５では、引き続き、録画開始操作時点以降の圧縮本動画像の記録を行う。
【００３９】
ステップＳ２０６では、操作スイッチ１０５に含まれる撮影ボタンが再度押されたか否か、すなわち録画終了操作がなされたか否かの判別を行い、録画終了操作が行われないていないならばステップＳ２０５へ進み、引き続き録画開始操作時点以降の圧縮本動画像の記録を続ける。一方、録画終了操作が行われていたならば、ステップＳ２０７へ進む。
【００４０】
ステップＳ２０７では、録画終了操作が行われた時点からさらに所定時間（Ｔ＿ｐｏｓｔ）が経過するまで、撮影を継続する。そして、所定時間（Ｔ＿ｐｏｓｔ）分の圧縮本動画像（後続画像信号）をハードディスク１０９へ記録する。
【００４１】
次にステップＳ２０８では、当該テイクにおける記録開始操作が行われた時刻と記録終了操作が行われた時刻とをハードディスク１０９に記録し、ステップＳ２０９で当該テイクの記録を終了する。当該テイクの記録が終了すると、再びステップＳ２０２へ進み、次のテイクの撮影に備える。
【００４２】
なおステップＳ２０８で、記録開始操作時刻と記録終了操作時刻とをハードディスク１０９に記憶するようにしているが、ここでの時刻とは、機器に内蔵の時計が示す絶対的な時刻であっても、またテイクの先頭位置を基準とするテイクの長さを示す経過時間やフレームナンバー等であってもよい。
【００４３】
図３は、図２に示す処理により録画された異なる３つのテイクにおける録画のタイミングを示す図である。
【００４４】
テイク１を記録する図３（ａ）では、タイミング１Ｂで録画開始操作が行われ、タイミング１Ｃで録画終了操作が行われている。タイミング１ＢからＴ＿ｐｒｅ時間だけ前のタイミング１Ａから、タイミング１ＣからＴ＿ｐｏｓｔ時間だけ後のタイミング１Ｄまでの圧縮本動画像がハードディスク１０９に記録される。このときに、タイミング１Ｂとタイミング１Ｃとがハードディスク１０９に記録される。
【００４５】
テイク２，３をそれぞれ記録する図３（ｂ）、（ｃ）でも、図３（ａ）と同様な録画が行われる。
【００４６】
このようにテイク１、２、３が順番に記録されると、それと平行して、ＣＰＵ１１１が、ハードディスク１０９上に図４に示すようなプレイリスト１を生成して記録する。
【００４７】
図４は、ハードディスク１０９上に記録されたプレイリスト１を示す図である。すなわちプレイリストは、記録された各テイクを再生する際の再生タイミング（ハードディスク１０９上の位置に相当）を示すものであり、最初にテイク１をタイミング１Ｂからタイミング１Ｃまでの期間（メモリ区間）で再生し、次にテイク２をタイミング２Ｂからタイミング２Ｃまでの期間で再生し、最後にテイク３をタイミング３Ｂからタイミング３Ｃまでの期間で再生して終了することを意味している。
【００４８】
次に、デジタル動画像カメラが再生モードに設定されている場合の制御動作の説明を行なう。ここでは、シーンチェンジエフェクトが掛けられていない場合をまず説明する。
【００４９】
デジタル動画像カメラは再生モードに設定されると、ハードディスク１０９上のプレイリストを解析して、その内容に従って再生を行なう。プレイリスト１には、上記の例ではまず“テイク１をタイミング１Ｂからタイミング１Ｃまで再生“と書かれているので、ハードディスク１０９からテイク１を探し出す。そしてタイミング（メモリ位置）１Ｂからテイク１の圧縮本動画像データを読み始める。その圧縮本動画像データは、動画圧縮解凍回路１０８にて解凍デコードされ、ディスプレイ１０６へ送られて再生される。読み出されるテイク１の圧縮本動画像データが、タイミング（メモリ位置）１Ｃに達したら、テイク１の再生をやめる。
【００５０】
プレイリスト１には次に、”テイク２をタイミング２Ｂからタイミング２Ｃまで再生“と書かれているので、タイミング（メモリ位置）２Ｂからテイク２の圧縮本動画像データを読み始め、同様に動画圧縮解凍回路１０８へ送ることでデコードをおこない、ディスプレイ１０６で再生画を表示する。読み出されるテイク２の圧縮本動画像データが、タイミング（メモリ位置）２Ｃに達したら、テイク２の再生をやめる。そして、プレイリスト１には次に、”テイク３をタイミング３Ｂからタイミング３Ｃまで再生“と書かれているので、テイク３について、上記と同様な再生を行う。
【００５１】
プレイリスト１ではテイク３の再生で終了となっているので、タイミング３Ｃに達したらプレイリスト１に従った再生を終了する。
【００５２】
以上の再生動作では、プレイリストの解釈と再生動作とが平行して行われるが、プレイリストの解釈に時間がかかって再生動作が間に合わなくなる可能性がある場合には、これに代わって、まずプレイリストの解釈を先行して行い、その後に各テイクの再生を行うようにしてもよい。
【００５３】
次に、シーンチェンジエフェクトが掛けられている場合の再生モードにおけるデジタル動画像カメラの制御動作の説明を行なう。
【００５４】
図５は、シーンチェンジエフェクトが掛けられている場合の本発明におけるテイクの再生方法を示す図である。
【００５５】
図５（ａ）、（ｂ）に示すようにテイク１及びテイク２が記録されている場合において、再生時に、テイク１とテイク２との間にクロスフェードを実現するものとする。その場合、図５（ｃ）に示すように、まずタイミング４Ａからタイミング４Ｂまでの期間の映像として、テイク１のタイミング１Ｂからタイミング１Ｃまでの映像を再生する。
【００５６】
次に、タイミング４Ｂからタイミング４Ｃまでの期間の映像としては、テイク１のタイミング１Ｃからタイミング１Ｄまでの期間の映像（後続画像信号）を、タイミング１Ｃから所定時間Ｔ＿ｅｆｆｅｃｔかけて少しづつにフェードアウトした映像と、テイク２のタイミング２Ａからタイミング２Ｂまでの期間の映像（先行画像信号）を、タイミング２Ｂより所定時間Ｔ＿ｅｆｆｅｃｔだけ前のタイミングから少しずつフェードインした映像とをミックスした映像を生成する。
【００５７】
次に、タイミング４Ｃからタイミング４Ｄまでの期間の映像としては、テイク２のタイミング２Ｂからタイミング２Ｃまでの期間の映像を再生する。
【００５８】
こうした本発明におけるクロスフェードによれば、テイク１及びテイク２における録画開始操作時点（１Ｂ，２Ｂ）から録画終了操作時点（１Ｃ，２Ｃ）までの期間の各映像は、フェードインまたはフェードアウトされることがないので、完全な映像が再生されることになる。
【００５９】
なおここでは、シーンチェンジエフェクトの代表例としてのクロスフェードをテイク間に掛けることを説明したが、本発明は各種シーンチェンジエフェクトに適用可能である。すなわち、様々な形態のワイプ、スピン、スイング、ページがめくれるようなエフェクト等、動画から動画へのシーンチェンジエフェクトはいろいろ存在するが、いずれのシーンチェンジエフェクトにおいても、本発明は実現できる。
【００６０】
次に、撮影記録時における動作状態のディスプレイ１０６への表示について説明する。
【００６１】
図６は、１テイク分を撮影記録する際にディスプレイ１０６に表示される各種の撮影記録状態を経過時間に沿って示す図である。
【００６２】
記録開始操作時点よりも前の先行撮影記録状態をモード１、記録開始操作時点から記録終了操作時点までの撮影記録状態をモード２、記録終了操作時点から後の後続撮影記録状態をモード３とした場合、モード１では、記録待機を表す“ｐａｕｓｅ”をディスプレイ１０６に表示する。これは、実際には先行撮影記録が行われているものの、デジタル動画像カメラとしては記録待機状態であるので、こうした表示を行うようにする。次にモード２では、本来の撮影記録状態となるので、記録を表す“ｒｅｃ”の表示を行なう。そしてモード３では、のりしろ記録（所定時間Ｔ＿ｐｏｓｔに亘る撮影記録）をしている旨の表示として、“ｒｅｃ”の点滅表示を行なう。すなわちモード３では、記録終了操作後ののりしろ記録が行われることになるが、ここでは、カメラを被写体に向けた構えをユーザに継続させるために、“ｒｅｃ”の点滅表示を行なう。
【００６３】
図７は、ディスプレイ１０６上の３つのモード表示例を示す図である。
【００６４】
なお、これらの表示を、上記の例では“ｐａｕｓｅ”、“ｒｅｃ”、「“ｒｅｃ”の点滅」としたが、 これに代わって“一時停止”、 “録画”、「“録画”の点滅」とするようにしてもよい。あるいは、それらの状態を示すアイコンによって表示するようにしてもよい。
【００６５】
なおまた、図１における動画圧縮解凍回路１０８は、モーションＪＰＥＧのような、１枚１枚のコマを独立して圧縮符号化する動画符号化方式を実行する回路にしてもよいし、またＭＰＥＧのような、コマに応じて、独立して圧縮符号化したり、前後のコマの差分をとって圧縮符号化したり、また、複数のコマから予測して圧縮符号化したりする動画符号化方式を実行する回路にしてもよい。また、ハードディスク１０９は、光ディスクや光磁気ディスク等のディスクメディアでもよいし、ＦＬＡＳＨメモリやＳＲＡＭ，ＤＲＡＭ等の固体半導体メモリで構成されるランダムアクセス可能なメモリであってもよい。
【００６６】
さらになお、前述した実施の形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出して実行することによっても、本発明が達成されることは言うまでもない。
【００６７】
この場合、記憶媒体から読み出されたプログラムコード自体が、前述の実施の形態の機能を実現することになり、そのプログラムコードを記憶した記憶媒体が本発明を構成することになる。
【００６８】
プログラムコードを供給するための記憶媒体として、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６９】
また、コンピュータが読み出したプログラムコードを実行することにより、前述した実施の形態の機能が実現されるだけでなく、そのプログラムコードの指示に基づき、コンピュータ上で稼働しているＯＳなどが実際の処理の一部または全部を行い、その処理によって前述した実施の形態の機能が実現される場合も、本発明に含まれることは言うまでもない。
【００７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も、本発明に含まれることは言うまでもない。
【００７１】
【発明の効果】
以上詳述したように、本発明によれば、クロスフェード等のシーンチェンジエフェクトを掛けた場合でも、録画開始操作時点から録画終了操作時点までの期間に記録された映像を不鮮明になることなく再生することができる。
【図面の簡単な説明】
【図１】本発明に係るデジタル動画像カメラの一実施の形態の構成を示すブロック図である。
【図２】１テイク分の動画像を撮影する際にＣＰＵで行われる処理の手順を示すフローチャートである。
【図３】図２に示す処理により録画された異なる３つのテイクにおける録画のタイミングを示す図である。
【図４】ハードディスク上に記録されたプレイリストを示す図である。
【図５】シーンチェンジエフェクトが掛けられている場合の本発明におけるテイクの再生方法を示す図である。
【図６】１テイク分を撮影記録する際にディスプレイに表示される各種の撮影記録状態を経過時間に沿って示す図である。
【図７】ディスプレイ上の３つのモード表示例を示す図である。
【図８】従来の磁気テープにおけるシーケンシャル記録方式を示す図である。
【図９】従来のランダムアクセスメディアに記録された“テイク１”及び“テイク２”を示す図である。
【符号の説明】
１０１  レンズ
１０２  撮像素子
１０３  カメラ信号処理部
１０４  画像メモリ
１０５  操作スイッチ
１０６  ディスプレイ
１０７  画像処理部
１０８  動画圧縮解凍回路
１０９  ハードディスク
１１０  インターフェース
１１１  ＣＰＵ
１１２  プログラムメモリ
１１３  プログラムフラッシュメモリ
【図１】
0004478343.tif 000002
【図２】
0004478343.tif 000003
【図３】
0004478343.tif 000004
【図４】
0004478343.tif 000005
【図５】
0004478343.tif 000006
【図６】
0004478343.tif 000007
【図７】
0004478343.tif 000008
【図８】
0004478343.tif 000009
【図９】
0004478343.tif 000010